【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
無線通信システムにおける端末のアップリンク電力制御方法であって、
前記端末とデュアルコネクティビティ（ｄｕａｌ  ｃｏｎｎｅｃｔｉｖｉｔｙ）を形成する第１基地局及び第２基地局の中の少なくとも１つの基地局と関連づけられたパワーヘッドルーム報告（Ｐｏｗｅｒ  ｈｅａｄｒｏｏｍ  Ｒｅｐｏｒｔ：ＰＨＲ）トリガイベントを感知する過程と、
前記ＰＨＲトリガイベントの感知に対応して、前記端末のデュアルコネクティビティＰＨＲを前記第１基地局及び前記第２基地局に伝送する過程を含む方法。
【請求項２】
前記第１基地局及び前記第２基地局の中の少なくとも１つと関連づけられた他のＰＨＲトリガイベントを感知する過程と、
前記他のＰＨＲトリガイベントの感知に対応して、前記端末のデュアルコネクティビティＰＨＲを前記他のＰＨＲトリガイベントが感知された前記第１基地局及び前記第２基地局の中の１つに伝送する過程をさらに含む請求項１に記載の方法。
【請求項３】
前記他のＰＨＲトリガイベントを感知する過程は、
周期的ＰＨＲタイマー、トリガ遮断ＰＨＲタイマー、再構成（ｒｅｃｏｎｆｉｇｕｒａｔｉｏｎ）、及びアップリンクバッファデータ量の中の少なくとも１つに基づいて前記他のＰＨＲトリガイベントを感知する過程を含む請求項２に記載の方法。
【請求項４】
前記ＰＨＲトリガイベントを感知する過程は、
経路損失（ｐａｔｈ  ｌｏｓｓ）の変化、Ｐ−ＭＰＲ（Ｍａｘｉｍｕｍ  Ｐｏｗｅｒ  Ｒｅｄｕｃｔｉｏｎ）の変化、Ｓｃｅｌｌ  Ａｃｔｉｖａｔｉｏｎ、ＳＣｅｌｌの追加（ＳＣｅｌｌ  Ａｄｄｉｔｉｏｎ）及び電力バックオフの変更の中の少なくとも１つに基づいて前記ＰＨＲトリガイベントを感知する過程を含む請求項１に記載の方法。
【請求項５】
前記第１基地局及び第２基地局の中の少なくとも１つから前記ＰＨＲトリガイベントの感知条件を受信する過程をさらに含み、
前記感知条件は複数の基地局に対してすべて同じであるか、基地局別に異なり、
前記感知条件は、ＲＲＣ接続設定（ＲＲＣ  Ｃｏｎｎｅｃｔｉｏｎ  Ｓｅｔｕｐ）、ＲＲＣ接続再構成（ＲＲＣ  Ｃｏｎｎｅｃｔｉｏｎ  Ｒｅｃｏｎｆｉｇｕｒａｔｉｏｎ）、ＲＲＣ接続再設定（ＲＲＣ  Ｃｏｎｎｅｃｔｉｏｎ  Ｒｅｅｓｔａｂｌｉｓｈｍｅｎｔ）の中の少なくとも１つの発生によってＰセル基地局から受信されるＲＲＣ接続メッセージから獲得される請求項１に記載の方法。
【請求項６】
前記第１基地局及び前記第２基地局それぞれのための前記端末の伝送電力（ｔｒａｎｓｍｉｓｓｉｏｎ  ｐｏｗｅｒ）を決定する過程と、
前記ＰＨＲトリガイベントを感知した場合、前記第１基地局及び前記第２基地局の中の少なくとも１つのための前記端末のパワーヘッドルームを決定するために前記第１基地局及び第２基地局それぞれの伝送電力を調節する過程をさらに含む請求項１に記載の方法。
【請求項７】
前記第１基地局及び前記第２基地局それぞれのための前記端末の伝送電力は、ＡＭＢＲ（Ａｇｇｒｅｇａｔｅｄ  ｍａｘｉｍｕｍ  ｂｉｔ  ｒａｔｅ）、経路損失、チャネル状態情報、帯域幅、リソースの希少性、接続端末の数、及び重み因子の中の少なくとも１つに基づいて決定され、
前記決定された伝送電力は、アップリンクバッファのデータ量及びチャネル状態情報に基づいて調節される請求項６に記載の方法。
【請求項８】
前記第１基地局及び前記第２基地局それぞれのための前記端末の伝送電力を決定する過程は、
前記第１基地局及び前記第２基地局の中の少なくとも１つから前記第１基地局及び前記第２基地局に対する端末の最大伝送電力配分情報を受信する過程を含む請求項６に記載の方法。
【請求項９】
無線通信システムにおける基地局及び他の基地局とデュアルコネクティビティ（ｄｕａｌ  ｃｏｎｎｅｃｔｉｖｉｔｙ）を形成する端末のアップリンク電力を制御するための前記基地局の方法であって、
前記端末から前記端末のデュアルコネクティビティパワーヘッドルーム報告（Ｐｏｗｅｒ  ｈｅａｄｒｏｏｍ  Ｒｅｐｏｒｔ：ＰＨＲ）を受信する過程を含み、
前記デュアルコネクティビティＰＨＲは前記基地局及び前記他の基地局の中の少なくとも１つと関連づけられたＰＨＲトリガイベントの感知に対応して受信され、
前記デュアルコネクティビティＰＨＲは前記端末から前記基地局及び前記他の基地局に送信される方法。
【請求項１０】
前記端末にＰＨＲトリガイベントの感知条件を伝送する過程をさらに含み、
前記ＰＨＲトリガイベントの感知条件は、前記基地局及び前記他の基地局に対してすべて同じであるか、基地局別に異なる請求項９に記載の方法。
【請求項１１】
無線通信システムにおける端末のアップリンク電力制御装置であって、
複数の信号を送受信するための送受信部と、
端末とデュアルコネクティビティ（ｄｕａｌ  ｃｏｎｎｅｃｔｉｖｉｔｙ）を形成する第１基地局及び第２基地局の中の少なくとも１つの基地局と関連づけられたパワーヘッドルーム報告（Ｐｏｗｅｒ  ｈｅａｄｒｏｏｍ  Ｒｅｐｏｒｔ：ＰＨＲ）トリガイベントを感知し、 前記ＰＨＲトリガイベントの感知に対応して、前記端末のデュアルコネクティビティＰＨＲを前記第１基地局及び前記第２基地局に送信することを制御するためのＰＨＲ制御部を含む装置。
【請求項１２】
前記ＰＨＲ制御部は、前記第１基地局及び前記第２基地局の中の少なくとも１つと関連づけられた他のＰＨＲトリガイベントを感知し、
前記他のＰＨＲトリガイベントの感知に対応して、前記端末のデュアルコネクティビティＰＨＲを前記他のＰＨＲトリガイベントが感知された前記第１基地局及び前記第２基地局の中の１つに送信する請求項１１に記載の装置。
【請求項１３】
前記ＰＨＲ制御部は、周期的ＰＨＲタイマー、トリガ遮断ＰＨＲタイマー、再構成（ｒｅｃｏｎｆｉｇｕｒａｔｉｏｎ）、及びアップリンクバッファデータ量の中の少なくとも１つに基づいて前記他のＰＨＲトリガイベントを感知する請求項１２に記載の装置。
【請求項１４】
無線通信システムにおける基地局及び他の基地局とデュアルコネクティビティ（ｄｕａｌ  ｃｏｎｎｅｃｔｉｖｉｔｙ）を形成する端末のアップリンク電力を制御するための前記基地局の装置であって、
信号を送受信するための送受信部と、
前記送受信部を介して前記端末のデュアルコネクティビティパワーヘッドルーム報告（Ｐｏｗｅｒ  ｈｅａｄｒｏｏｍ  Ｒｅｐｏｒｔ：ＰＨＲ）の受信を制御するためのスケジューラを含み、
前記デュアルコネクティビティＰＨＲは前記基地局及び前記他の基地局の中の少なくとも１つと関連づけられたＰＨＲトリガイベントの感知に対応して受信され、
前記デュアルコネクティビティＰＨＲは前記端末から前記基地局及び前記他の基地局に送信される装置。
【請求項１５】
前記スケジューラは、前記端末にＰＨＲトリガイベントの感知条件を伝送するように制御し、
前記ＰＨＲトリガイベントの感知条件は、前記基地局及び前記他の基地局に対してすべて同じであるか、基地局別に異なる請求項１４に記載の装置。
【請求項１６】
前記基地局及び前記他の基地局のための前記端末の伝送電力を決定する過程と、
前記端末に前記基地局及び前記他の基地局それぞれのための前記端末の伝送電力決定情報を送信する過程をさらに含む請求項９に記載の方法。
【請求項１７】
前記デュアルコネクティビティＰＨＲの受信に対応して、前記基地局及び前記他の基地局それぞれのための前記端末の伝送電力を調節する過程と、
前記端末に前記調節された伝送電力に関する情報を送信する過程をさらに含み、
前記伝送電力はアップリンクバッファのデータ量及びチャネル状態情報に基づいて調節される請求項９に記載の方法。
【請求項１８】
前記伝送電力は、ＡＭＢＲ（Ａｇｇｒｅｇａｔｅｄ  ｍａｘｉｍｕｍ  ｂｉｔ  ｒａｔｅ）、経路損失、チャネル状態情報、帯域幅、リソースの希少性、接続端末の数、及び重み因子の中の少なくとも１つに基づいて決定される請求項１６に記載の方法。
【請求項１９】
前記ＰＨＲ制御部は、経路損失（ｐａｔｈ  ｌｏｓｓ）の変化、Ｐ−ＭＰＲ（Ｍａｘｉｍｕｍ  Ｐｏｗｅｒ  Ｒｅｄｕｃｔｉｏｎ）の変化、Ｓｃｅｌｌ  Ａｃｔｉｖａｔｉｏｎ、ＳＣｅｌｌの追加（ＳＣｅｌｌ  Ａｄｄｉｔｉｏｎ）及び電力バックオフの変更の中の少なくとも１つに基づいて前記ＰＨＲトリガイベントを感知する請求項１１に記載の装置。
【請求項２０】
前記ＰＨＲ制御部は、前記第１基地局及び前記第２基地局の中の少なくとも１つから前記ＰＨＲトリガイベントの感知条件を受信し、
前記感知条件は複数の基地局に対してすべて同じであるか、基地局別に異なり、
前記感知条件は、ＲＲＣ接続設定（ＲＲＣ  Ｃｏｎｎｅｃｔｉｏｎ  Ｓｅｔｕｐ）、ＲＲＣ接続再構成（ＲＲＣ  Ｃｏｎｎｅｃｔｉｏｎ  Ｒｅｃｏｎｆｉｇｕｒａｔｉｏｎ）、ＲＲＣ接続再設定（ＲＲＣ  Ｃｏｎｎｅｃｔｉｏｎ  Ｒｅｅｓｔａｂｌｉｓｈｍｅｎｔ）の中の少なくとも１つの発生によってＰセル基地局から受信されるＲＲＣ接続メッセージから獲得される請求項１１に記載の装置。
【請求項２１】
前記ＰＨＲ制御部は、前記第１基地局及び前記第２基地局それぞれのための前記端末の伝送電力（ｔｒａｎｓｍｉｓｓｉｏｎ  ｐｏｗｅｒ）を決定し、
前記ＰＨＲトリガイベントを感知した場合、前記第１基地局及び前記第２基地局の中の少なくとも１つのための前記端末のパワーヘッドルームを決定するために前記第１基地局及び前記第２基地局それぞれの伝送電力を調節する請求項１１に記載の装置。
【請求項２２】
前記ＰＨＲ制御部は、ＡＭＢＲ（Ａｇｇｒｅｇａｔｅｄ  ｍａｘｉｍｕｍ  ｂｉｔ  ｒａｔｅ）、経路損失、チャネル状態情報、帯域幅、リソースの希少性、接続端末の数、及び重み因子の中の少なくとも１つに基づいて前記第１基地局及び前記第２基地局それぞれのための前記端末の伝送電力を決定し、
アップリンクバッファのデータ量及びチャネル状態情報に基づいて前記決定された伝送電力を調節する請求項２１に記載の装置。
【請求項２３】
前記ＰＨＲ制御部は、前記送受信部を介して前記第１基地局及び前記第２基地局の中の少なくとも１つから前記第１基地局及び前記第２基地局のための前記端末の伝送電力決定に関する情報を受信する請求項２１に記載の装置。
【請求項２４】
前記スケジューラは、前記基地局及び前記他の基地局のための前記端末の伝送電力を決定し、
前記端末に前記基地局及び前記他の基地局それぞれのための前記端末の伝送電力決定情報の送信を制御する請求項１４に記載の装置。
【請求項２５】
前記スケジューラは、前記デュアルコネクティビティＰＨＲの受信に対応して、前記基地局及び前記他の基地局それぞれのための前記端末の伝送電力を調節し、
前記端末への前記調節された伝送電力に関する情報の送信を制御し、
前記伝送電力はアップリンクバッファのデータ量及びチャネル状態情報に基づいて調節される請求項１４に記載の装置。
【請求項２６】
前記スケジューラはＡＭＢＲ（Ａｇｇｒｅｇａｔｅｄ  ｍａｘｉｍｕｍ  ｂｉｔ  ｒａｔｅ）、経路損失、チャネル状態情報、帯域幅、リソースの希少性、接続端末の数、及び重み因子の中の少なくとも１つに基づいて前記伝送電力を決定する請求項２４に記載の装置。